(57)【要約】【課題】ドアロックの手動解除を行うとき、ひもを介して行う場合でも左開きおよび右開きドア用ドアスイッチに対応可能とするドアスイッチ装置を提供すること。【解決手段】手動解除板３４はドアスイッチ装置５の外郭に沿って内部で前後方向に摺動し、手動解除板３４の一部で外郭にひも４２を掛ける突出部を設け、突出部の奥方向にひもを上下方向に引き回し可能とする掛け部４０を設け、手動解除板３４の前後方向の手前の外郭に穴を設けているので、左右開きドアスイッチ装置用の共用化とひもで引張る方式、工具等で押す方式の共用化を図ることができる。【選択図】図３
2012075682.tif 000002
【特許請求の範囲】
【請求項１】
外郭と、ドアの閉成により前記ドアのフックが係合することで摺動移動する摺動部材と、前記ドアを閉成したとき、前記フックを前記外郭に係止するとともに前記摺動部材で前記フックを抑えて前記ドアの開放を阻止する保持手段と、前記保持手段を動作させる駆動源と、前記保持手段を手動で解除可能な解除手段とを備え、前記解除手段は前記外郭の内部で移動可能に構成し、前記解除手段にひもを取り付け、このひもを引くことにより前記解除手段を移動させて前記ドアのロックを解除するように構成した洗濯機のドアスイッチ装置。
【請求項２】
ひもの方向を上下反転させる掛け部を設けた請求項１記載の洗濯機のドアスイッチ装置。
【請求項３】
外郭には、解除手段に通じる穴を設けた請求項１または２に記載の洗濯機のドアスイッチ装置。
【発明の詳細な説明】
【技術分野】
【０００１】
本発明はドアを開閉自在に設けた洗濯機のドアスイッチ装置に関するものである。
【背景技術】
【０００２】
従来のドラム式洗濯機のドアスイッチ装置は図８、図９、図１０、図１１に示すように構成していた。以下その構成について説明する。
【０００３】
図８、図９に示すようにドア１は機器本体２の開口部を開閉自在に設け、フック３をドア開閉レバー４を介して矢印Ａの方向に移動自在に装着し、このフック３を機器本体２に設けたドアスイッチ５にてドア１を閉状態にロックできるようにしている。
【０００４】
ドアスイッチ５は図１０、図１１に示すように構成しており、摺動部材６はばね７により左右方向に移動自在としており、ドア１の閉成によりドア１のフック３が係合することで摺動移動する。この摺動部材６の移動により、操作部材８を回転させて、スイッチ手段９はソレノイド（駆動手段）１０およびモータ１１などの負荷に接続している。モータ１１はドラム１２を回転させる。ソレノイド１０に保持手段１３を連結し、保持手段１３の一部が摺動部材６の一部と勘合し、摺動部材６が係止されてドア１を閉状態にロックするようにしている。
【０００５】
係止手段１４は保持手段１３の位置を係止してドア１をロック状態またはロック解除状態に保持するもので、図７に示すようなハート形カム１５とばね１６とで構成し、ソレノイド１０の通電を遮断してもハート形カム１５の働きで保持手段１３をその位置に係止してロックし、再度、ソレノイド１０に通電すると保持手段１３の係止位置を変更して、保持手段１３の一部と摺動部材６の一部とが勘合が外れてロックがかからないように構成している。
【０００６】
マイクロスイッチ（位置検出手段）１７はフック３を外れない状態に保持する保持手段１３の保持状態を検知し、保持されていることを出力するものである。手動解除板（解除手段）３４は、フック３が外れない状態に摺動部材６を保持した保持手段１３を手動で解除するものである。
【先行技術文献】
【特許文献】
【０００７】
【特許文献１】特開平１０−２７２２９３号公報
【発明の概要】
【発明が解決しようとする課題】
【０００８】
しかしながら、従来技術のドアスイッチ装置の構造では、洗濯機が運転中即ちドラム１２が回転中はドア１はロックするような制御をしているが、ロック中にソレノイド１０が故障したり、停電等でロック解除動作ができなくなった場合、手動にて手動解除板３４を操作する必要がある。
【０００９】
本発明は、前記従来の課題を解決するもので、停電やドアスイッチ装置内部の故障等により、ロック状態からロック解除状態に手動にて行う際、手動のロック解除を達成することができることを目的としている。
【課題を解決するための手段】
【００１０】
上記目的を達成するために、本発明の洗濯機のドアスイッチ装置は、外郭と、ドアの閉成により前記ドアのフックが係合することで摺動移動する摺動部材と、前記ドアを閉成したとき、前記フックを前記外郭に係止するとともに前記摺動部材で前記フックを抑えて前記ドアの開放を阻止する保持手段と、前記保持手段を動作させる駆動源と、前記保持手段を手動で解除可能な解除手段とを備え、前記解除手段は前記外郭の内部で移動可能に構成し、前記解除手段にひもを取り付け、このひもを引くことにより前記解除手段を移動させて前記ドアのロックを解除するように構成したものである。
【００１１】
これによって、停電やドアスイッチ装置内部の故障等により、ロック状態からロック解除状態に手動にて行う際、手動のロック解除を達成することができる。
【発明の効果】
【００１２】
本発明の洗濯機のドアスイッチ装置は、停電やドアスイッチ装置内部の故障等により、ロック状態からロック解除状態に手動にて行う際、手動のロック解除を達成することができる。
【図面の簡単な説明】
【００１３】
【図１】本発明の実施の形態におけるドアスイッチ装置を搭載した洗濯機の斜視図
【図２】本発明の実施の形態におけるドアスイッチ装置と洗濯機のフタの構成図
【図３】（ａ）本発明の実施の形態における右開きドアを有する洗濯機にドアスイッチ装置を搭載した内部構造図（ｂ）本発明の実施の形態における左開きドアを有する洗濯機にドアスイッチ装置を搭載した内部構造図
【図４】ドアスイッチ装置にひもを取付けた状態の側面図
【図５】本発明の実施の形態におけるドアスイッチ装置の内部構成斜視図
【図６】本発明の実施の形態におけるドアスイッチ装置の摺動部材を取り除いた時の内部構成平面図
【図７】本発明の実施の形態におけるドアスイッチ装置の断面図
【図８】従来のドアスイッチ装置を搭載した洗濯機の断面図
【図９】従来のドアスイッチ装置と洗濯機のフタの構成図
【図１０】（ａ）従来のドアスイッチ装置の内部構成平面図（ｂ）従来のドアスイッチ装置の縦断面図
【図１１】従来のドアスイッチ装置の内部詳細図
【発明を実施するための形態】
【００１４】
第１の発明は、外郭と、ドアの閉成により前記ドアのフックが係合することで摺動移動する摺動部材と、前記ドアを閉成したとき、前記フックを前記外郭に係止するとともに前記摺動部材で前記フックを抑えて前記ドアの開放を阻止する保持手段と、前記保持手段を動作させる駆動源と、前記保持手段を手動で解除可能な解除手段とを備え、前記解除手段は前記外郭の内部で移動可能に構成し、前記解除手段にひもを取り付け、このひもを引くことにより前記解除手段を移動させて前記ドアのロックを解除するように構成したことにより、停電やドアスイッチ装置内部の故障等により、ロック状態からロック解除状態に手動にて行う際、手動のロック解除を達成することができる。
【００１５】
第２の発明は、第１の発明において、ひもの方向を上下反転させる掛け部を設けたことにより、洗濯機にて同一のドアスイッチを１８０°回転させて使用し、右開きドア用ドアスイッチ及び左開きドア用ドアスイッチに対応させ、ドアロックの手動解除を行うとき、ひもを介して行う場合でも右開きおよび左開きドア用ドアスイッチに対応可能にできる。
【００１６】
第３の発明は、第１または第２の発明において、外郭には、解除手段に通じる穴を設けたことにより、手動解除方式がひも方式になっても、直接、工具等で解除手段を押す方式にも対応させることができる。
【００１７】
以上、本発明の実施の形態について、図面を参照しながら説明する。なお、この実施の形態によって本発明が限定されるものではない。
【００１８】
（実施の形態１）
図１は本発明の第１の実施の形態におけるドアスイッチ装置を搭載した洗濯機のフタを開いた斜視図、図２はドアスイッチ装置と洗濯機のフタの構成図、図３は（ａ）右開きドアと（ｂ）左開きドアを有する洗濯機にドアスイッチ装置を搭載した内部構造図、図４はドアスイッチ装置にひもを取付けた状態の側面図、図５はドアスイッチ装置の内部構成斜視図、図６はドアスイッチ装置の摺動部材を取り除いた時の内部構成平面図、図７はドアスイッチ装置の断面図である。
【００１９】
図１において洗濯機のフタ（ドア）１にはフック３が設けられており、機器本体２に収納されたドアスイッチ装置５のフック挿入穴２１にフタ１を閉めた時、収まるように設定されている。
【００２０】
図２においてフタ１にはフック３を回転させるためのレバー４が設けられている。フック３と一体でレバー４により回転する押し板部２２が設けられている。ドアスイッチ装置５にはフック３が挿入されるフック挿入穴２１とフタ開検知用穴２３を有している。
【００２１】
ドアスイッチ装置５には手動解除板３４が設けてある。手動解除板３４を前後方向に押した時、ドアスイッチ装置５を手動でロック状態からロック解除状態にすることができる。手動解除板３４はドアスイッチ装置５の外郭に沿って内部で前後方向に摺動し、手動解除板３４の一部で外郭にひもを掛ける突出部を設けている。また、ドアスイッチ装置５の手動解除板３４前方部には穴４１があいており、前方部から工具等を利用して手動解除板３４を直接押して、ロック状態からロック解除状態にすることができる。ドアスイッチ装置５に設けた掛け部４０により手動解除板３４の突出部に掛けたひもを上下方向に方向転換することができるようにしている。
【００２２】
図３はドアスイッチ装置５を左開きドア用と右開きドア用ドラム式洗濯機に取付けるため、ドアスイッチ装置５を１８０°回転させて取付けた状態の内部構造図であるが、左開きドア用の場合、手動解除板３４位置はドアスイッチ装置５に対して上方にあるため、手動解除板３４に掛けたひもはドアスイッチ装置５の背面を通して下方向に導かれる。また右開きドア用の場合、手動解除板３４位置はドアスイッチ装置５に対して下方にあるため、手動解除板３４に掛けたひもはドアスイッチ装置５に設けた掛け部４０により方向転換されて下方向に導かれる。
【００２３】
図４においてドアスイッチ装置５に設けた掛け部４０により手動解除板３４の突出部に掛けたひも４２は掛け部４０により方向転換された状態を示している。
【００２４】
図５においては摺動部材６のフックが挿入される部分は箱状に形成されており、フタ１を閉めると、フック３がドアスイッチ装置５のフック挿入穴２１に挿入され、摺動部材６は奥方向に可動する。この動きによってフック３はドアスイッチ装置５の外郭に係止されるとともに箱型の摺動部材６がフック３に力を加えて抑える。また、フック３と一体に設けられた押し板部２２がドアスイッチ装置５のフタ開検知用穴２３が挿入された時、フタの開閉を検知するためのボタン２５は奥方向に可動する。また、押し板部２２のボタンとの当接面は平面で構成されている。
【００２５】
手動解除板３４を上方向から押すか、ドアスイッチ装置５の外に設けた突出部を引張ることにより、ドアスイッチ装置５をロック状態からロック解除状態にすることができる。
【００２６】
フック３にて可動する摺動部材６には、スプリングＡ２４にてＣ方向に反力が与えられており、フタ１を開くためレバー４を引き、フック３によりＣ方向に摺動部材６を移動させることができる。フタ１を閉めると、ボタン２５は押し板部２２により押されるとスプリングＢ２６を介してスイッチＡ２７を押し、スイッチＡ２７はＯＮ状態となる。フタ１を開いてフック３と一体で設けた押し板部２２がボタン２５から離れるとスイッチＡ２７はＯＦＦ状態となる。フタ１にロックを掛ける時はソレノイド１０に通電し、保持手段１３を横方向に移動させ、連結機構部品２８により縦方向に変換し、縦方向に移動させる。
【００２７】
図６は摺動部材６を取り除いた図であるが、連結機構部品２８の先端には突起部３０を有しており、突起部３０が移動することにより摺動部材６を固定したり、解除したりしてロックを掛けたり、ロックを解除することができる。保持手段１３がソレノイド１０により移動するとスプリングＣ２９を介して回転レバー３５を回転させて、スイッチＢ３１を押すことにより、ロック状態ではＯＮ、解除状態ではＯＦＦになることによりロック状態か解除状態かを検知することができる。スイッチＡ２７とスイッチＢ３１にリード線３２、３３に接続されており、機器本体２にある制御装置（図示せず）に開閉信号を送ることができる。
【００２８】
図７はドアスイッチ装置５の断面図であるが、手動解除板３４はドアスイッチ装置５の外郭に沿って前後方向に摺動するが、手動解除板３４の突出部を引張るか、ドアスイッチ装置５の穴４１を通して押すことにより、ロック状態からロック解除状態にすることができる。また、ロック解除された後、手を放すとスプリングＤ４３により元の状態に復帰することができる。
【００２９】
以上のように構成されたドアスイッチ装置について以下その動作、作用を説明する。
【００３０】
フタ１を開くためレバー４を引きフック３を回転させるとドアスイッチ装置５のフック挿入穴２１に収まっているフック３の先端の可動により摺動部材６を摺動させることによりフタ１を開くことができる。フタ１を閉める時はフック３が付勢力を有しているため、フタ１を押して閉成することによりドアスイッチ装置５のフック挿入穴２１にフック３の先端部が挿入し、摺動部材６を摺動させることにより、フタ１を閉成状態に保持することができる。
【００３１】
フック３の動きと連動してフタ１を閉めたときはフック３の押し板部２２がドアスイッチ装置５のフタ開検知用穴２３が挿入され、フタの開閉を検知するためのボタン２５は奥方向に可動する。ボタン２５は押し板部２２の回転方向と同一方向に動作行程を設定されている。ボタン２５は押し板部２２により押されるとスプリングＢ２６を介してスイッチＡ２７を押し、スイッチＡ２７はＯＮ状態となる。この状態によりフタが閉まっていると判断できる。
【００３２】
フタ１を開いた時、レバー４と連動してフック３が回転し、押し板部２２がフタ開検知用穴２３から離れるため、ボタン２５がスプリングＢ２６により元に戻ってスイッチＡ２７はＯＦＦ状態となる。この状態によりフタ１が開いていると判断できる。また、押し板部２２のボタンとの当接面は平面で構成されている。
【００３３】
フック３にて可動する摺動部材６はスプリングＡ２４にてＣ方向に反力が与えられている。フタ１を開くためレバー４を引くと、フック３によりＣ方向に摺動部材６を移動させることができる。洗濯を開始するため、フタ１を閉めロックを掛ける時はソレノイド１０に通電し、保持手段１３を横方向に移動させ、連結機構部品２８により縦方向に変換し、縦方向に移動させる。連結機構部品２８の先端には突起部３０を有しており、突起部３０が移動することにより突起部３０が摺動部材６に嵌って固定したり、突起部３０が摺動部材６から外れて解除したりして、ロックを掛けたり、ロックを解除することができる。
【００３４】
保持手段１３がソレノイド１０により横方向に移動するとスプリングＣ２９を介して回転レバー３０を回転させて、スイッチＢ３１を押すことにより、ロック状態ではＯＮ、解除状態ではＯＦＦになることによりロック状態か解除状態かを検知することができる。スイッチＡ２７とスイッチＢ３１にリード線３２、３３に接続されており、機器本体２にある制御装置に開閉信号を送ることができる。特に、スイッチＡ２７がＯＦＦになっている状態では、フタ１が開いている状態にあると判断し、制御装置はドラムの回転を速やかに停止させる。
【００３５】
また、停電やドアスイッチ装置５内部の故障等により、ソレノイド１０を動作させてロック状態からロック解除状態に手動にて行うため、ドアスイッチ装置５には手動解除板３４が設けてある。手動解除板３４を前後方向に押した時、ドアスイッチ装置５をロック状態からロック解除状態にすることができる。手動解除板３４はドアスイッチ装置５の外郭に沿って内部で前後方向に摺動し、手動解除板３４の一部でドアスイッチ装置５の外郭にひもを掛ける突出部を設けている。
【００３６】
また、ドアスイッチ装置５の手動解除板３４前方部には穴４１があいており、前方部から工具等を利用して手動解除板３４を直接押して、ロック状態からロック解除状態にすることができる。また、ドアスイッチ装置５に設けた掛け部４０により手動解除板３４の突出部に掛けたひもを上下方向に方向転換することができるようになっている。
【００３７】
ドアスイッチ装置５を左開きドア用と右開きドア用ドラム式洗濯機に取付けるため、ドアスイッチ装置５を１８０°回転させて取付ける。左開きドア用の場合、手動解除板３４位置はドアスイッチ装置５に対して上方にあるため、手動解除板３４に掛けたひも４２はドアスイッチ装置５の背面を通して下方向に導かれる。また右開きドア用の場合、手動解除板３４位置はドアスイッチ装置５に対して下方にあるため、手動解除板３４に掛けたひも４２はドアスイッチ装置５に設けた掛け部４０により方向転換されて下方向に導かれる。
【００３８】
このひも４２を下方に引っ張ることによって、手動解除板３４が前後方向に押され、ドアスイッチ装置５をロック状態からロック解除状態にすることができる。
【００３９】
以上のように本実施の形態において、外郭と、ドアの閉成により前記ドアのフックが係合することで摺動移動する摺動部材と、前記ドアを閉成したとき、前記フックを前記外郭に係止するとともに前記摺動部材で前記フックを抑えて前記ドアの開放を阻止する保持手段と、前記保持手段を動作させる駆動源と、前記保持手段を手動で解除可能な解除手段とを備え、前記解除手段は前記外郭の内部で移動可能に構成し、前記解除手段にひもを取り付け、このひもを引くことにより前記解除手段を移動させて前記ドアのロックを解除するように構成したことにより、停電やドアスイッチ装置内部の故障等により、ロック状態からロック解除状態に手動にて行う際、手動解除を達成することができる。
【００４０】
また、本実施の形態において、ひもの方向を上下反転させる掛け部を設けたことにより、洗濯機にて同一のドアスイッチを１８０°回転させて使用し、右開きドア用ドアスイッチ及び左開きドア用ドアスイッチに対応させ、ドアロックの手動解除を行うとき、ひもを介して行う場合でも右開きおよび左開きドア用ドアスイッチに対応可能にできる。
【００４１】
また、本実施の形態において、外郭には、解除手段に通じる穴を設けたことにより、手動解除方式がひも方式になっても、直接、工具等で解除手段を押す方式にも対応させることができる。
【産業上の利用可能性】
【００４２】
以上のように、本発明にかかわる洗濯機のドアスイッチ装置は、洗濯機にて同一ドアスイッチを１８０°回転させて使用し、右開きドア用ドアスイッチ及び左開きドア用ドアスイッチに対応させ、ドアロックの手動解除を行うとき、ひもを介して行う場合でも右開きおよび左開きドア用ドアスイッチに対応可能とすることができ、手動解除方式がひも方式になっても、直接、工具等で押す方式にも対応させることができる。
【符号の説明】
【００４３】
１    ドア（フタ）
３    フック
４    レバー
５    ドアスイッチ装置
６    摺動部材
１０  ソレノイド（駆動源）
１３  保持手段
３４  手動解除板（解除手段）
４０  掛け部
４１  穴
４２  ひも
【図１】
2012075682.tif 000003
【図２】
2012075682.tif 000004
【図３】
2012075682.tif 000005
【図４】
2012075682.tif 000006
【図５】
2012075682.tif 000007
【図６】
2012075682.tif 000008
【図７】
2012075682.tif 000009
【図８】
2012075682.tif 000010
【図９】
2012075682.tif 000011
【図１０】
2012075682.tif 000012
【図１１】
2012075682.tif 000013